(57)【要約】【課題】良好な送受信機能を有し、且つ装飾機能を有するアンテナ構造を提供すること。【解決手段】本発明に係るアンテナ構造は、第一搭載部、第二搭載部及びアンテナ放射体を備え、第一搭載部及び第二搭載部は、セラミック材料からなり、アンテナ放射体は、メインアンテナ及びサブアンテナを含み、メインアンテナは、第一搭載部に形成され、サブアンテナは、第二搭載部に形成される。【選択図】図１
2015106921.tif 000002
【特許請求の範囲】
【請求項１】
第一搭載部、第二搭載部及びアンテナ放射体を備えるアンテナ構造であって、
前記第一搭載部及び前記第二搭載部は、セラミック材料からなり、前記アンテナ放射体は、メインアンテナ及びサブアンテナを含み、前記メインアンテナは、前記第一搭載部に形成され、前記サブアンテナは、前記第二搭載部に形成されることを特徴とするアンテナ構造。
【請求項２】
前記第一搭載部は、第一基板と、前記第一基板の１つの長辺から垂直に形成されている第一端壁と、前記第一基板と前記第一端壁とが連接する箇所の両側にそれぞれ設けられている第一係合ブロックと、を含むことを特徴とする請求項１に記載のアンテナ構造。
【請求項３】
前記第二搭載部は、第二基板と、前記第二基板の１つの長辺から垂直に形成されている第二端壁と、前記第二基板と前記第二端壁とが連接する箇所の両側にそれぞれ設けられている第二係合ブロックと、を含むことを特徴とする請求項１に記載のアンテナ構造。
【請求項４】
バックケースと、積載部品と、ハウジングと、アンテナ構造と、を備える無線通信装置であって、
前記積載部品は、回路基板を載置するために用いられ、前記アンテナ構造は、第一搭載部、第二搭載部及びアンテナ放射体を備え、
前記第一搭載部及び前記第二搭載部は、セラミック材料からなり、前記アンテナ放射体は、メインアンテナ及びサブアンテナを含み、前記メインアンテナは、前記第一搭載部に形成され、前記サブアンテナは、前記第二搭載部に形成され、
前記アンテナ構造は、前記ハウジング内に装着され、且つ前記積載部品を介して前記回路基板と電気的に接続されることを特徴とする無線通信装置。
【請求項５】
前記積載部品は、１つの端部を含み、前記１つの端部の両側には、スロットがそれぞれ設けられ、
前記第一搭載部は、第一基板、第一端壁及び２つの第一係合ブロックを含み、前記第一端壁は、前記第一基板の１つの長辺から垂直に形成されていて、２つの第一係合ブロックは、前記第一基板の２つの短辺における前記第一端壁に近接する箇所に形成され、前記第一係合ブロックは、前記１つの端部の前記スロット内に係合固定されることを特徴とする請求項４に記載の無線通信装置。
【請求項６】
前記積載部品は、もう１つの端部をさらに含み、前記もう１つの端部の両側にも、スロットがそれぞれ設けられ、
前記第二搭載部は、第二基板、第二端壁及び２つの第二係合ブロックを含み、前記第二端壁は、前記第二基板の１つの長辺から垂直に形成されていて、２つの前記第二係合ブロックは、前記第二基板の２つの短辺における前記第二端壁に近接する箇所に形成され、前記第二係合ブロックは、前記もう１つの端部の前記スロット内に係合固定されることを特徴とする請求項４に記載の無線通信装置。
【請求項７】
前記１つの端部及び前記もう１つの端部の前記ハウジングに対向する表面には、凹所がそれぞれ設けられ、前記第一搭載部及び前記第二搭載部は、２つの前記凹所内に収容されることを特徴とする請求項６に記載の無線通信装置。
【請求項８】
前記ハウジングは、主体部を含み、前記主体部には、前記積載部品、前記回路基板及び前記アンテナ構造を収容するための収容空間が形成され、前記主体部は、互いに対向して設けられた２つの弧状の側壁及び２つの側壁に連接されている平面壁を含み、前記平面壁には、前記バックケースと組み合わさる矩形凹所が設けられ、
また、前記平面壁の両端には、前記アンテナ構造の第一基板及び前記第二基板を収容するための収容開口がさらに設けられていることを特徴とする請求項６に記載の無線通信装置。
【請求項９】
前記バックケースは、ガラス材料からなり、前記積載部品は、プラスチック材料からなり、前記ハウジングは、金属材料からなることを特徴とする請求項４に記載の無線通信装置。
【発明の詳細な説明】
【技術分野】
【０００１】
本発明は、セラミックアンテナ構造及びこのセラミックアンテナ構造を用いた無線通信装置に関するものである。
【背景技術】
【０００２】
近年、消費者は、無線通信製品の性能を重視するだけでなく、無線通信製品の外観に対する要求も高くなっている。その中で、金属ハウジングは、美観、質感及び高い強度を兼ね備え、且つ放熱し易いなどの利点を有するため、多くのメーカーが、消費者の要求に合わせて、金属ハウジングの無線通信装置を設計して製造している。
【０００３】
しかし、周知のように、金属ハウジングは、電磁波遮蔽効果を有し、無線通信装置に内蔵されたアンテナ構造の送受信機能を妨害して、アンテナ構造の放射性能及び放射効果に影響を及ぼす。また、金属ハウジングのみでは、新規性を有する無線通信装置の外観を提供することができない。従って、現在、如何にアンテナ構造の放射性能を妨害せずに、従来の金属ハウジングの美観を向上させるかが、本業界の課題である。
【発明の概要】
【発明が解決しようとする課題】
【０００４】
本発明は、上記の問題点を考慮してなされたものであり、良好な送受信機能を有し、且つ装飾機能を有するアンテナ構造を提供することを目的とする。
【課題を解決するための手段】
【０００５】
上記の課題を解決するために、本発明に係るアンテナ構造は、第一搭載部、第二搭載部及びアンテナ放射体を備え、第一搭載部及び第二搭載部は、セラミック材料からなり、アンテナ放射体は、メインアンテナ及びサブアンテナを含み、メインアンテナは、第一搭載部に形成され、サブアンテナは、第二搭載部に形成される。
【０００６】
上記の課題を解決するために、本発明に係る無線通信装置は、バックケースと、積載部品と、ハウジングと、アンテナ構造と、を備える。積載部品は、回路基板を載置するために用いられ、アンテナ構造は、第一搭載部、第二搭載部及びアンテナ放射体を備え、第一搭載部及び第二搭載部は、セラミック材料からなり、アンテナ放射体は、メインアンテナ及びサブアンテナを含み、メインアンテナは、第一搭載部に形成され、サブアンテナは、第二搭載部に形成され、アンテナ構造は、ハウジング内に装着され、且つ積載部品を介して回路基板と電気的に接続される。
【発明の効果】
【０００７】
従来の技術と異なり、本発明のアンテナ構造は、全てセラミック材料により製造された第一搭載部及び第二搭載部を含み、アンテナ放射体は、この第一搭載部及び第二搭載部のセラミック基板にそれぞれ印刷して形成される。また、第一搭載部及び第二搭載部は、無線通信装置の金属ハウジングの両端に装着され、この際、第一搭載部と第二搭載部とのセラミック製の端壁は、金属ハウジングの両端から露出している。これによって、本発明のアンテナ構造は、アンテナ放射体の送受信機能を確保できると共に、無線通信装置の外観を多材質にして、装飾することができる。
【図面の簡単な説明】
【０００８】
【図１】本発明に係る無線通信装置の斜視図である。
【図２】図１に示した無線通信装置の分解斜視図である。
【図３】図２に示した無線通信装置の積載部品の拡大図である。
【図４】本発明に係るアンテナ構造の第一搭載部を示す斜視図である。
【図５】本発明に係るアンテナ構造の第二搭載部を示す斜視図である。
【発明を実施するための形態】
【０００９】
図１及び図２に示すように、本発明のアンテナ構造５０は、携帯電話機及びタブレットＰＣなどの無線通信装置１００に使用されて、無線信号を送受信するために用いられる。
【００１０】
本発明の無線通信装置１００は、バックケース１０、積載部品３０、アンテナ構造５０及びハウジング７０を備える。無線通信装置１００の回路基板（図示せず）は、積載部品３０に搭載される。積載部品３０は、ハウジング７０内に収容される。アンテナ構造５０は、積載部品３０とハウジング７０との間に設けられる。バックケース１０は、無線通信装置１００のハウジング７０の背面に着脱可能に装着される。本実施形態において、バックケース１０は、ガラス材料により製造される。
【００１１】
積載部品３０は、プラスチック材料により製造された矩形の枠であり、且つ２つの連接アーム３１、２つの端部３３及び２つの側壁３５を備える。２つの連接アーム３１は、互いに平行するように各端部３３の両端にそれぞれ連接されている。２つの端部３３は、互いに対して平行である。２つの側壁３５は、互いに対向して２つの端部３３にそれぞれ立設されている。各端部３３と各側壁３５とが連結されている箇所の両端には、アンテナ構造５０を固定するためのスロット３３１がそれぞれ設けられている。また、一方の端部３３には、２つの第一開口３３３及び２つの貫通孔３３７が設けられており、他方の端部３３には、１つの第二開口３３５が設けられている。１つの貫通孔３３７は円形であり、もう１つの貫通孔３３７は楕円形である。これら２つの貫通孔３３７は、カメラ素子及びフラッシュを装着するために用いられる。図３を併せて参照すると、２つの端部３３の別の表面には、積載部品３０の表面から凹んで形成された凹所３３９が形成されている。アンテナ構造５０は、この凹所３３９に対応して収容される。
【００１２】
図４及び図５を併せて参照すると、本発明に係るアンテナ構造５０は、第一搭載部５１、第二搭載部５３及びアンテナ放射体５５を含む。第一搭載部５１及び第二搭載部５３は、それぞれ積載部品３０の２つの端部３３に対応して装着される。また、第一搭載部５１及び第二搭載部５３は、セラミック材料により製造される。アンテナ放射体５５は、第一搭載部５１及び第二搭載部５３にそれぞれ印刷して形成される。
【００１３】
第一搭載部５１は、第一基板５１１、第一端壁５１３及び２つの第一係合ブロック５１５を含む。第一端壁５１３は、第一基板５１１の１つの長辺から垂直に形成されている。２つの第一係合ブロック５１５は、第一基板５１１の２つの短辺における第一端壁５１３に近接する箇所にそれぞれ形成されている。
【００１４】
第二搭載部５３は、第二基板５３１、第二端壁５３３及び２つの第二係合ブロック５３５を含む。第二基板５３１の形状は、第一基板５１１の形状と同じである。第二端壁５３３は、第二基板５３１の１つの長辺から垂直に形成されている。２つの第二係合ブロック５３５は、それぞれ第二基板５３１の２つの短辺における第二端壁５３３に近接する箇所に形成されている。第二基板５３１には、カメラ素子及びフラッシュを収容するための２つの収容孔５３７が設けられている。第二端壁５３３の両端には、１つのイヤホンジャック５３８及び１つのＵＳＢジャック５３９がそれぞれ設けられている。イヤホン（図示せず）は、イヤホンジャック５３８に挿入され、ＵＳＢフラッシュディスクなどの記憶装置は、ＵＳＢジャック５３９に挿入される。
【００１５】
アンテナ放射体５５の形状は、無線通信装置１０に対する要求に応じて変更できる。アンテナ放射体５５は、メインアンテナ５５１及びサブアンテナ５５３を含む。サブアンテナ５５３は、Ｗｉ−Ｆｉ（登録商標）アンテナ、ＧＰＳアンテナ及びブルートゥース（登録商標）アンテナを含む。メインアンテナ５５１は、第一搭載部５１の第一基板５１１に印刷して形成され、且つ積載部品３０の第二開口３３５を介して回路基板と電気的に接続される。サブアンテナ５５３は、第二搭載部５３の第二基板５３１に印刷して形成され、且つ積載部品３０の第一開口３３３を介して回路基板と電気的に接続される。サブアンテナ５５３の位置は、実際の必要に応じて変更可能である。
【００１６】
図２に示すように、ハウジング７０は金属材料からなり、主体部７１を含む。主体部７１には、積載部品３０、回路基板及びアンテナ構造５０を収容するための収容空間７１１が形成されている。また、主体部７１は、互いに対向して設けられている２つの弧状の側壁７３及び２つの側壁７３に連接されている平面壁７４を含む。平面壁７４には、矩形凹所７４１が設けられている。矩形凹所７４１が窪んでいるため、主体部７１の両端には、２つの階段部７５が形成されている。矩形凹所７４１の形状及びサイズは、バックケース１０に相当する。また、平面壁７４の両端には、収容開口７１３がそれぞれ設けられている。収容開口７１３の形状は、アンテナ構造５０の第一基板５１１及び第二基板５３１の形状にマッチングする。
【００１７】
無線通信装置１００を組み立てる場合、先ず、アンテナ構造５０の第一搭載部５１及び第二搭載部５３の一部を、ハウジング７０の両端の収容開口７１３にそれぞれ対応して収容し、第一搭載部５１及び第二搭載部５３の他の一部を積載部品３０の凹所３３９内に収容する。並びに、第二搭載部５３の収容孔５３７と積載部品３０の一端の貫通孔３３７とを位置合わせし、並びに第一搭載部５１の第一係合ブロック５１５及び第二搭載部５３の第二係合ブロック５３５を、積載部品３０の２つの端部３３のスロット３３１内に係合させる。この時、積載部品３０の２つの側壁３５は、第一搭載部品５１及び第二搭載部５３の第一端壁５１３及び第二端壁５３３の内側に位置して、第一端壁５１３及び第二端壁５３３によりカバーされる。
【００１８】
次に、積載部品３０の全体をハウジング７０の収容空間７１１内に装着して、アンテナ構造５０の第一搭載部５１の第一端壁５１３の外面及び第二搭載部５３の第二端壁５３３の外面を、それぞれハウジング７０の両端から露出させる。つまり、この時、第一端壁５１３及び第二端壁５３３は、無線通信装置１００の両端の端壁となり（図１を参照）、ユーザは、第二端壁５３３のイヤホンジャック５３８及びＵＳＢジャック５３９を使用することができる。
【００１９】
次に、回路基板を積載部品３０内に装着し、且つ回路基板をアンテナ構造５０と電気的に接続する。
【００２０】
最後に、バックケース１０をハウジング７０の矩形凹所７４１に係合させて、バックケース１０の両端をハウジング７０の階段部７５と緊密にドッキングさせる。また、周知のように、無線通信装置１００は、回路基板とハウジング７０との間に装着される液晶表示アセンブリをさらに備える。
【符号の説明】
【００２１】
１００  無線通信装置
１０  バックケース
３０  積載部品
３１  連接アーム
３３  端部
３３１  スロット
３３３  第一開口
３３５  第二開口
３３７  貫通孔
３３９  凹所
３５  側壁
５０  アンテナ構造
５１  第一搭載部
５１１  第一基板
５１３  第一端壁
５１５  第一係合ブロック
５３  第二搭載部
５３１  第一基板
５３３  第二端壁
５３５  第二係合ブロック
５３７  収容孔
５３８  イヤホンジャック
５３９  ＵＳＢジャック
５５  アンテナ放射体
５５１  メインアンテナ
５５３  サブアンテナ
７０  ハウジング
７１  主体部
７１１  収容空間
７３  側壁
７４  平面壁
７４１  矩形凹所
７５  階段部
【図１】
2015106921.tif 000003
【図２】
2015106921.tif 000004
【図３】
2015106921.tif 000005
【図４】
2015106921.tif 000006
【図５】
2015106921.tif 000007